(57)【要約】【課題】壁パネルを取り付けようとする直上に屋根の軒が出ていても、外壁パネルをクレーン等で吊り上げて取り付けできる壁パネルの取付工法を提供することにある。【解決手段】基礎８上に据え付けた建物躯体に壁パネル２を取り付ける壁パネルの取付工法において、建物躯体の外周面には、取付ガイドを兼用する壁パネル固定用の軸組６，７を壁パネルの横幅に対応した間隔にて鉛直方向に立設しておき、壁パネル２を軸組に沿わせて下方位置にスライド可能に係止又は仮固定し、所定の高さ位置にまでジャッキアップした後、軸組に固着することを特徴とする。【選択図】  図１
2004346533.tif 000002
【特許請求の範囲】
【請求項１】
基礎上に据え付けた建物躯体に壁パネルを取り付ける壁パネルの取付工法において、
建物躯体の外周面には、取付ガイドを兼用する壁パネル固定用の軸組を壁パネルの横幅に対応した間隔にて鉛直方向に立設しておき、壁パネルを軸組に沿わせて下方位置にスライド可能に係止又は仮固定し、軸組に沿わせて所定の高さ位置にまでジャッキアップした後、軸組に固着することを特徴とする壁パネルの取付工法。
【請求項２】
前記壁パネルは複数枚であり、この複数枚の壁パネルを基礎上に上下方向に積み上げて係止又は仮固定し、最下階の壁パネル下端と基礎との間にジャッキを差し込み、ジャッキアップすることを特徴とする請求項１記載の壁パネルの取付工法。
【請求項３】
前記壁パネルの左右両端部に軸組に跨がるスライド金具を取り付けて壁パネルが倒れないように支え、該スライド金具は、壁パネルを、左右方向の所定の位置に拘束するが、上下方向にはスライド可能な状態とすることを特徴とする請求項１または２記載の壁パネルの取付工法。
【請求項４】
左右で隣り合う前記軸組の一方が隅柱であり、他方が間柱であり、隅柱側の前記スライド金具は、壁パネルの端面と、この壁パネルの端面と同一平面上に配置した隅柱の端面とに跨がって取り付くものとされ、間柱側の前記スライド金具は、壁パネルの裏面と、この壁パネル裏面に当接する間柱とに跨がって取り付くものとされていることを特徴とする請求項３記載の壁パネルの取付工法。
【発明の詳細な説明】
【０００１】
【発明の属する技術分野】
本発明は、壁パネルの取付工法に関する。
【０００２】
【従来の技術】
従来、特許文献１に記載されているように、大判化された外壁パネルの取付方法が知られている。このような外壁パネルの取付方法は、複数枚の外壁パネルをパネル幅方向に並べて連結し、大判化した外壁パネルをクレーン等で吊り、傾斜させながら下端の凹部を土台に係止し、上端に設けたパネル取付金物の一対の部材の間に梁を配置し、外壁パネルをこの梁に挟着するようにしたものである。
【０００３】
【特許文献１】
特許第２８４９３５５号公報
【０００４】
【発明が解決しようとする課題】
しかしながら、上記特許文献１記載のような従来技術にあっては、外壁パネルを取り付けようとする直上に屋根の軒が出ている場合、軒が邪魔してクレーン等で吊り上げた外壁パネルを所定の位置に持っていくことが困難な場合がある。
このような場合、建物施工の順序として、外壁パネル取付後に屋根の軒施工という順序にするか、あるいは屋根の軒近辺の外壁はクレーンを使わなくてもよいように小割りにしたものを取り付けるようにする等の施工方法を変更する必要があった。
特に、屋根施工の省力化、安全性向上のため、屋根下地および瓦の施工を地上付近で行った後、屋根をジャッキアップなどして所定の高さに据えてから外壁パネルを取り付けようとすると、上記のような問題が生じ、上記のような施工方法の変更が必要となり、余分な手間がかかっていた。
【０００５】
本発明の課題は、壁パネルを取り付けようとする直上に屋根の軒が出ていても、外壁パネルをクレーン等で吊り上げて取り付けできる壁パネルの取付工法を提供することにある。
【０００６】
【課題を解決するための手段】
請求項１記載の発明は、基礎上に据え付けた建物躯体に壁パネルを取り付ける壁パネルの取付工法において、
建物躯体の外周面には、取付ガイドを兼用する壁パネル固定用の軸組を壁パネルの横幅に対応した間隔にて鉛直方向に立設しておき、壁パネルを軸組に沿わせて下方位置にスライド可能に係止又は仮固定し、軸組に沿わせて所定の高さ位置にまでジャッキアップした後、軸組に固着することを特徴とする。
【０００７】
請求項２記載の発明は、請求項１記載の壁パネルの取付工法において、前記壁パネルは複数枚であり、この複数枚の壁パネルを基礎上に上下方向に積み上げて係止又は仮固定し、最下階の壁パネル下端と基礎との間にジャッキを差し込み、ジャッキアップすることを特徴とする。
【０００８】
請求項３記載の発明は、請求項１または２記載の壁パネルの取付工法において、前記壁パネルの左右両端部に軸組に跨がるスライド金具を取り付けて壁パネルが倒れないように支え、該スライド金具は、壁パネルを、左右方向の所定の位置に拘束するが、上下方向にはスライド可能な状態とすることを特徴とする。
【０００９】
請求項４記載の発明は、請求項３記載の壁パネルの取付工法において、左右で隣り合う前記軸組の一方が隅柱であり、他方が間柱であり、隅柱側の前記スライド金具は、壁パネルの端面と、この壁パネルの端面と同一平面上に配置した隅柱の端面とに跨がって取り付くものとされ、間柱側の前記スライド金具は、壁パネルの裏面と、この壁パネル裏面に当接する間柱とに跨がって取り付くものとされていることを特徴とする。
【００１０】
（作用）
請求項１記載の本発明の壁パネルの取付工法によると、壁パネルを軸組に沿わせて下方位置にスライド可能に係止又は仮固定し、軸組に沿わせて所定の高さ位置にまでジャッキアップするので、壁パネルを取り付けようとする直上に屋根の軒などが出ていても、外壁パネルをクレーン等で吊り上げて下方位置に設置しさえすれば、後はジャッキアップして所定の位置に容易に取り付けできる。
また、壁パネルを軸組に沿わせてジャッキアップした後固着するので、上下の壁パネル間に出入り段差を生じず、出入り方向に精度の高い建物外壁を形成できる。
【００１１】
請求項２記載の本発明の壁パネルの取付工法によると、さらに、複数枚の壁パネルを基礎上に上下方向に積み上げて係止又は仮固定し、最下階の壁パネル下端と基礎との間にジャッキを差し込み、ジャッキアップするので、複数枚の壁パネルを一度にジャッキアップでき、作業が容易である。
壁パネルをジャッキアップして所定の位置に取り付けた後、最下階の壁パネル下端と基礎との間の隙間は、水切りカバー等を設けて覆われるが、床下換気等に有効である。
【００１２】
なお、最上階の壁パネルを積み上げる際、軒の出が小さければ、壁パネルの吊り上げを布製スリング等を用いて軒先部を傷めないようにすればよい。また、軒の出が大きい場合は、バランス吊り具等を用いて軒をかわすようにすればよい。
【００１３】
請求項３記載の本発明の壁パネルの取付工法によると、さらに、前記壁パネルの左右両端部に軸組に跨がるスライド金具を取り付けて壁パネルが倒れないように支えるので、壁パネルの取付作業を安全に施工できる。
そして、該スライド金具は、壁パネルを左右方向の所定の位置に拘束するので、左右方向に精度の高い建物外壁を形成できる。
また、上記スライド金具は、壁パネルを上下方向にスライド可能な状態とするので、所定の高さ位置にまでジャッキアップする際、その作業をスムーズにできる。
【００１４】
請求項４記載の本発明の壁パネルの取付工法によると、さらに、隅柱側の前記スライド金具は、壁パネルの端面と、この壁パネルの端面と同一平面上に配置した隅柱の端面とに跨がって取り付くものとされているので、壁パネルを左右方向の所定位置に確実に位置決めできる。
間柱側の前記スライド金具は、壁パネルの裏面と、この壁パネル裏面に当接する間柱とに跨がって取り付くものとされているので、隅柱側の前記スライド金具とともに、壁パネルが倒れないように確実に支える。
【００１５】
【発明の実施の形態】
図１〜図１３は、本発明の一実施形態であって、図１（ａ），（ｂ）はスライド金具を取り付けた壁パネルと軸組の斜視図である。図２（ａ）は図６のＢ部の水平断面図であり、（ｂ）はスライド金具の斜視図である。図３（ａ）は図６のＡ部の水平断面図であり、（ｂ）はスライド金具の斜視図である。
図４は建物の南面正面図であり、図５（ａ）は１階壁パネルの正面図、（ｂ）は（ａ）のＹ−Ｙ線における断面図、（ｃ）は２階壁パネルの正面図、（ｄ）は小壁パネルの正面図である。
図６（ａ）は軸組の配置を示す建物の平面図であり、（ｂ）は（ａ）のＡ部とＢ部を拡大した平面図である。図７（ａ）は出隅部における軸組の立面図、（ｂ）は間柱部における軸組の立面図である。
図８は、屋根の出寸法が小さい時に２階壁パネルの積み込み方法を示す説明図であり、図９は、屋根の出寸法が大きい時に２階壁パネルの積み込み方法を示す説明図である。
図１０は、２階壁パネル設置直前における壁パネルの説明図であり、図１１は、２階壁パネル設置直後における壁パネルの説明図である。図１２は、壁パネルのジャッキアップを示す説明図であり、図１３は、基礎と壁パネル下端との間を水切り材付き土台で塞いだ状態を示す壁パネルの説明図である。
【００１６】
本実施の形態において、建物１は、図４に示すように、２階建てであって、基礎上に据え付けた建物躯体の南面側中央に１階壁パネル２と、その上に２階壁パネル３と小壁パネル４とを取り付けて構築されている。これら壁パネル２，３，４の左側及び右側には、別の壁パネルが隣接して取り付けられている。
上記の壁パネル２，３，４は、いずれも、工場組立されたものである。
【００１７】
１階壁パネル２は、図５（ａ）に示すように、開口窓を備えた大判矩形状であって、図５（ｂ）に示すように、寸法型式２０６材または２０４材等の製材からなる枠材２１と、外壁面材２２と、内壁下地面材２３とからパネル状に構成されている。外壁面材２２と、内壁下地面材２３との間には空間部が形成され、ガラスウール等の断熱材２４が充填され、外壁面材２２の裏面側には透湿防水シート２５が張設されている。
【００１８】
２階壁パネル３は、図５（ｃ）に示すように、開口窓を備えた大判矩形状であって、横幅と高さが上記１階壁パネル２と同じ大きさにされている。また、小壁パネル４は、図５（ｄ）に示すように、５角形等の異形であって、横幅は壁パネル２，３と同じで、２階壁パネル３と屋根４との間に取り付けられる。
２階壁パネル３と、小壁パネル４は、上記図５（ｂ）に示した１階壁パネル２の構成と同様であるから、詳細な説明は省略する。
【００１９】
上記の建物１において、建物躯体の外周面には、図６に示すように、取付ガイドを兼用する壁パネル固定用の軸組６，７を壁パネル２（または壁パネル３，４）の横幅に対応した間隔にて鉛直方向に立設されている。
軸組６は、Ｈ型鋼（寸法型式３００×１５０）で形成された出隅柱であり、壁パネル２等の端部に来るように設置される。
軸組７は、Ｈ型鋼（寸法型式１５０×１５０）で形成された間柱であり、壁パネル２等間の目地部に来るように設置される。
【００２０】
上記のように構成された建物躯体の軸組６，７を用いた本実施の形態の壁パネル２，３の取付工法について、以下の手順を追って説明する。
【００２１】
（１）  先ず、上記小壁パネル４は、図７に示すように、屋根５と同様地上で施工してリフトアップし、屋根下方の軸組６，７の上部に予め取り付けておく。
【００２２】
（２）  小壁パネル４と基礎８との間に１階壁パネル２と２階壁パネル３を挿入して取り付けるが、先ず、１階壁パネル２を軸組６，７の屋外側に密着させ倒れないように、所定の高さ位置より下方位置に係止又は仮固定する。
この際、図１（ａ）に示すように、基礎８の上に厚さ３０ｍｍのスペーサー９を介在させて１階壁パネル２を基礎８の上に立設する。
【００２３】
（３）  つぎに、２階壁パネル３を吊り上げて、１階壁パネル２の上に積み上げ、１階壁パネル２と同様、２階壁パネル３を軸組６，７の屋外側に密着させ倒れないように係止又は仮固定する。
【００２４】
最上階である２階壁パネル３を積むときに、屋根５の軒の出寸法が小さければ、図８に示すように、壁パネル３の吊り上げをアイボルト３３に取り付けた布製スリング３４で行って軒先部を傷めないようにする。
軒の出寸法が大きい場合は、図９に示すように、バランス吊り具３４Ａを用いて行う。
なお、壁パネル３を積むとき、２階壁パネル３の下端を１階壁パネル２の上端に合わせておき、斜め状になっている２階壁パネル３を引き込み用ロープ等を使用して屋内側に引っ張り込むようにして積み上げる（図８，図９参照）。
【００２５】
２階壁パネル３を１階壁パネル２の上に積み上げる際、スムーズな位置決めとズレ止めができるように、図１０，図１１に示すように、ガイドピン２６を１階壁パネル２の上枠材２１に左右２ヵ所埋め込んでおき、このガイドピン２６を２階壁パネル３の下枠材３１に穿設したガイドピン孔３２に挿入する。
また、１階壁パネル２の上枠材２１に合成ゴム（ＥＰＤＭ）発泡体等の水密材２７を設け、積み上げた際に水密材２７を押しつぶして壁パネル２，３間を水密にする。
【００２６】
上記（２）  ，（３）  の工程において、前記壁パネル２，３の左右両端部に軸組６，７に跨がるスライド金具１０，１１を取り付けて、壁パネル２，３が倒れないように支える。
スライド金具１０，１１は、壁パネル２，３を、左右方向の所定の位置に拘束するが、上下方向にはスライド可能な状態とする。
【００２７】
軸組６（出隅柱）側の前記スライド金具１１は、壁パネル２の端面と、この壁パネル２の端面と同一平面上に配置した軸組６（出隅柱）の端面とに跨がって取り付くものとされている。壁パネル３の場合も同様である。
スライド金具１１は、図３（ｂ）に示すような矩形の金属板であり、ボルト孔１１１と、長孔１１２と、ビス孔１１３とが形成され、軸組６（出隅柱）から突出させたボルト１３をボルト孔１１１に挿入してナット１４で止着し、長孔１１２の下端乃至中央近くにコーチスクリューボルト１５と座金１６で壁パネル２に取り付けている（図１の（ｂ）参照）。
【００２８】
軸組７（間柱）側の前記スライド金具１０は、壁パネル２の裏面と、この壁パネル２裏面に当接する軸組７とに跨がって取り付くものとされている。
スライド金具１０は、図２（ｂ）に示すように、一側片１０１と他側片１０２との間に段差部１０３を設けた矩形の金属板であり、一側片１０１には４個のビス孔１０４が形成され、一側片１０１をビス１２を使用して壁パネル２の裏面に止着し、他側片１０２を軸組７（間柱）のフランジ裏面に当接して取り付けている（図１（ａ）及び図２（ａ）参照）。
【００２９】
（４）  積み上げた１階と２階の壁パネル２，３を、軸組６，７に沿わせて所定の高さ位置にまでジャッキアップし、２階壁パネル３の上端面を小壁パネル４の下端面に当接させる。
この際、２階壁パネル３の上端面に前記水密材２７と同様の水密材を取り付けておき、ジャッキアップして小壁パネル４のとの間に圧縮して防水する。
ジャッキアップには、図１２に示すように、爪付きジャッキ１８を使用するとよい。スペーサー９によって形成された１階の壁パネル２の下端と基礎８との間の隙間にジャッキ１８の爪を差し込み、ジャッキアップする。本実施の形態では、基礎上３０ｍｍの高さから１３７ｍｍの高さまでジャッキアップした。
【００３０】
（５）  その後、各壁パネル２，３を軸組６，７に固着する。
その際、軸組７側（間柱側）では、先に取り付けたスライド金具１０を取り外し、他の壁パネル取付時に繰り返し使用する。そして、図２（イ）の右側に示す壁パネル２のように、ビス１２を軸組７側の下孔から壁パネル２に打ち込んで固着する。
また、軸組６側（出隅柱側）では、スライド金具１１のコーチスクリューボルト１５と座金１６（図１（ｂ）参照）を取り外し、他の壁パネル取付時に繰り返し使用する。そして、図３（ａ）に示すように、ビス孔１１３にビス１７を打ち込み、壁パネル２と軸組６をスライド金具１１を介して固着する。
【００３１】
（６）  １階壁パネル２と２階壁パネル３との間には、木製見切り３５を取り付けて仕上げる（図１１参照）。
また、図１３に示すように、１階壁パネル２の下端と基礎８との間を水切り材付き土台１９で塞ぐようにする。
【００３２】
（実施の形態の作用）
本実施の形態の壁パネルの取付工法によると、壁パネル２，３を軸組６，７の屋外側に密着させ倒れないように下方位置に係止又は仮固定し、軸組６，７に沿わせて所定の高さ位置にまでジャッキアップした後、軸組６，７に固着するので、壁パネル２，３を取り付けようとする直上に屋根８の軒などが出ていても、壁パネル２，３をクレーン等で吊り上げて下方の仮固定位置に設置しさえすれば、後はジャッキアップして所定の位置に容易に取り付けできる。
また、壁パネル２，３を軸組６，７に密着させて固着するので、上下の壁パネル２，３間に出入り段差を生じず、出入り方向に精度の高い建物外壁を形成できる。
【００３３】
さらに、複数枚の壁パネル２，３を基礎８上にスペーサー９を介在させて上下方向に積み上げ仮固定し、スペーサー９によって形成された最下階の１階壁パネル２下端と基礎８との間の隙間にジャッキを差し込み、ジャッキアップするので、ジャッキアップ作業が容易である。
壁パネル２，３をジャッキアップして所定の位置に取り付けた後、最下階の１階壁パネル２下端と基礎８との間の隙間は、水切りカバー等を設けて覆われるが、床下換気等に有効である。
【００３４】
なお、最上階の２階壁パネル３を積み上げる際、軒の出が小さければ、２階壁パネル３の吊り上げを布製スリング３４等を用いて軒先部を傷めないようにすればよい。また、軒の出が大きい場合は、バランス吊り具３４Ａ等を用いて軒をかわすようにすればよい。
【００３５】
本実施の形態によると、さらに、前記壁パネル２，３の左右両端部に軸組６，７に跨がるスライド金具１０，１１を取り付けて壁パネル２，３が倒れないように支えるので、壁パネル２，３の取付作業を安全に施工できる。
そして、該スライド金具１０，１１は、壁パネル２，３を左右方向の所定の位置に拘束するので、左右方向に精度の高い建物外壁を形成できる。
また、上記スライド金具１０，１１は、壁パネル２，３を上下方向にスライド可能な状態とするので、所定の高さ位置にまでジャッキアップする際、その作業をスムーズにできる。
【００３６】
本実施の形態によると、さらに、軸組６側（出隅柱側）の前記スライド金具１１は、壁パネル２，３の端面と、この壁パネル２，３の端面と同一平面上に配置した軸組６の端面とに跨がって取り付くものとされているので、壁パネル２，３を左右方向の所定位置に確実に位置決めできる。
軸組７側（間柱側）の前記スライド金具１０は、壁パネル２，３の裏面と、この壁パネル裏面に当接する軸組７とに跨がって取り付くものとされているので、軸組６側の前記スライド金具１１とともに、壁パネル２，３が倒れないように確実に支える。
【００３７】
以上、本発明の一実施の形態を図面により詳述したが、本発明の具体的な構成はこの実施の形態に限られるものではなく、本発明の要旨を逸脱しない範囲の設計の変更等があっても本発明に含まれる。例えば、壁パネルは鋼製枠材と面材とからなるものでもよい。
【００３８】
【発明の効果】
請求項１記載の本発明の壁パネルの取付工法によると、壁パネルを取り付けようとする直上に屋根の軒などが出ていても、外壁パネルをクレーン等で吊り上げて下方位置に設置しさえすれば、後はジャッキアップして所定の位置に容易に取り付けできる。
また、壁パネルを軸組に沿わせてジャッキアップした後固着するので、上下の壁パネル間に出入り段差を生じず、出入り方向に精度の高い建物外壁を形成できる。
【００３９】
請求項２記載の本発明の壁パネルの取付工法によると、さらに、複数枚の壁パネルを一度にジャッキアップでき、作業が容易である。
壁パネルをジャッキアップして所定の位置に取り付けた後、最下階の壁パネル下端と基礎との間の隙間は、水切りカバー等を設けて覆われるが、床下換気等に有効である。
【００４０】
請求項３記載の本発明の壁パネルの取付工法によると、さらに、スライド金具を取り付けて壁パネルが倒れないように支えるので、壁パネルの取付作業を安全に施工できる。該スライド金具は、壁パネルを左右方向の所定の位置に拘束するので、左右方向に精度の高い建物外壁を形成できるとともに、壁パネルを上下方向にスライド可能な状態とするので、所定の高さ位置にまでジャッキアップする際、その作業をスムーズにできる。
【００４１】
請求項４記載の本発明の壁パネルの取付工法によると、さらに、隅柱側の前記スライド金具は、壁パネルを左右方向の所定位置に確実に位置決めでき、間柱側の前記スライド金具は、隅柱側の前記スライド金具とともに、壁パネルが倒れないように確実に支える。
【図面の簡単な説明】
【図１】本発明の一実施形態であって、スライド金具を取り付けた壁パネルと軸組の斜視図である。
【図２】（ａ）は図６のＢ部の水平断面図であり、（ｂ）はスライド金具の斜視図である。
【図３】（ａ）は図６のＡ部の水平断面図であり、（ｂ）はスライド金具の斜視図である。
【図４】建物の南面正面図である。
【図５】（ａ）は１階壁パネルの正面図、（ｂ）は（イ）のＹ−Ｙ線における断面図、（ｃ）は２階壁パネルの正面図、（ｄ）は小壁パネルの正面図である。
【図６】（ａ）は軸組の配置を示す建物の平面図であり、（ｂ）は（ａ）のＡ部とＢ部を拡大した平面図である。
【図７】（ａ）は出隅部における軸組の立面図、（ｂ）は間柱部における軸組の立面図である。
【図８】屋根の出寸法が小さい時に２階壁パネルの積み込み方法を示す説明図である。
【図９】屋根の出寸法が大きい時に２階壁パネルの積み込み方法を示す説明図である。
【図１０】２階壁パネル設置直前における壁パネルの説明図である。
【図１１】２階壁パネル設置直後における壁パネルの説明図である。
【図１２】壁パネルのジャッキアップを示す説明図である。
【図１３】基礎と壁パネル下端との間を水切り材付き土台で塞いだ状態を示す壁パネルの説明図である。
【符号の説明】
１  建物
２  １階壁パネル
３  ２階壁パネル
４  小壁パネル
６  軸組（出隅柱）
７  軸組（間柱）
８  基礎
９  スペーサー
１０，１１  スライド金具
【図１】
2004346533.tif 000003
【図２】
2004346533.tif 000004
【図３】
2004346533.tif 000005
【図４】
2004346533.tif 000006
【図５】
2004346533.tif 000007
【図６】
2004346533.tif 000008
【図７】
2004346533.tif 000009
【図８】
2004346533.tif 000010
【図９】
2004346533.tif 000011
【図１０】
2004346533.tif 000012
【図１１】
2004346533.tif 000013
【図１２】
2004346533.tif 000014
【図１３】
2004346533.tif 000015